(57)【要約】【課題】引き戸や開き戸等の扉の種類に関係なく簡易に自動開錠が可能な汎用性に優れた自動感震開錠扉を提供する。【解決手段】扉枠１１に開閉可能に設置された扉部１５を備え、扉部が通常時に施錠により閉鎖状態となり、地震時に自動開錠により開放状態となる扉１０であって、扉枠に設けられた枠側受部材２０と、扉部に設けられた扉側鍵受部材４０と枠側受部材に係止されるとともに鍵部材Ｌによる扉側鍵受部材との施錠により枠側受部材と扉側鍵受部材とを連結する連結鍵受部材５０とを有する複合鍵受部材３０とを備え、枠側受部材には、通常時に連結鍵受部材と作動部材６１とを係合させるとともに、地震時に地震振動を感知する感震機７０の信号により作動部材を作動させて連結鍵受部材との係合を解除させる感震開錠装置６０が設けられている。【選択図】図３
0003215536.tif 000002
【実用新案登録請求の範囲】
【請求項１】
扉枠に開閉可能に設置された扉部を備え、前記扉部が通常時に施錠により閉鎖状態となり、地震時に自動開錠により開放状態となる扉であって、
前記扉枠に設けられた枠側受部材と、前記扉部に設けられた扉側鍵受部材と前記枠側受部材に係止されるとともに鍵部材による前記扉側鍵受部材との施錠により前記枠側受部材と前記扉側鍵受部材とを連結する連結鍵受部材とを有する複合鍵受部材とを備え、
前記枠側受部材には、通常時に前記連結鍵受部材と作動部材とを係合させるとともに、地震時に地震振動を感知する感震機の信号により前記作動部材を作動させて前記連結鍵受部材との係合を解除させる感震開錠装置が設けられていることを特徴とする自動感震開錠扉。
【請求項２】
前記枠側受部材は、下部に開口部が形成された枠係止部を有する係止壁部を有し、
前記扉側鍵受部材は、上面視Ｌ字状の鍵受本体と、前記鍵受本体の一端に形成されて前記扉部の周縁部に回動自在に軸支される軸受部と、前記鍵受本体の他端に形成されて前記鍵部材による施錠が可能な第１鍵受部とを有し、
前記連結鍵受部材は、縦断面視Ｕ字状の連結本体と、前記連結本体の一側壁部に形成されて前記枠側受部材の前記枠係止部に係止される連結係止部と、前記連結係止部に形成された前記作動部材と係合する係合孔と、前記連結本体の他側壁部に面方向に対して突設されて前記第１鍵受部とともに前記鍵部材による施錠が可能な第２鍵受部とを有し、
通常時には、前記連結鍵受部材の前記枠側受部材の前記枠係止部に係止された前記連結係止部と前記扉側鍵受部材の前記第１鍵受部とともに前記鍵部材により施錠された前記第２鍵受部との間に前記枠側受部材の前記係止壁部が介在され、
地震時には、前記連結鍵受部材の係止状態が解除されて、前記扉側鍵受部材とともに前記連結鍵受部材が回動して前記枠側受部材の前記開口部から前記連結係止部が脱落される請求項１に記載の自動感震開錠扉。
【請求項３】
前記連結鍵受部材の前記連結係止部が面取部を有する請求項２に記載の自動感震開錠扉。
【請求項４】
前記感震開錠装置の前記作動部材が前記感震機の信号を受けて作動するラック部材及び歯車装置によって進退されるピン部材よりなり、前記感震機の信号作動時には前記ピン部材が後退して前記連結鍵受部材の前記係合孔より抜去される請求項２または３に記載の自動感震開錠扉。
【考案の詳細な説明】
【技術分野】
【０００１】
本考案は、通常時には施錠可能であり地震発生時には自動開錠が可能な自動感震開錠扉に関する。
【背景技術】
【０００２】
例えば、巨大地震が発生した場合、振動による家屋の倒壊等の他、電気やガス等の設備の破損等により発生する火災や津波等の二次災害による被害が懸念される。火災や津波の発生時には、より安全な場所へ緊急に避難する必要があり、屋内等から移動する場合には、非常階段や非常口等の避難路等が使用される。
【０００３】
学校や商業施設等の人が多く集まる場所の避難所や非常口、あるいは、湾岸地区の避難塔、高速道路の緊急避難口、駐車場の外周等の通常時に人の出入りが行われない場所や使用目的等に応じて区画される場所では、保安上の関係から金網状の柵等により封鎖または遮断されている。そして、前記の災害発生時には、これらの施設等から退避したり、避難場所や避難路を使用したりする必要があるため、柵を通過可能とする非常用扉が設置される。
【０００４】
この種の非常用扉は、通常時の侵入を防止するために常時施錠されている。しかしながら、地震発生時に使用する場合、扉が施錠されていると開錠に手間取る可能性があることにより、緊急避難の妨げとなるおそれがある。そこで、地震の振動を感知することによって、施錠された鍵を自動で開錠する機構を備えた扉が知られている（例えば、特許文献１参照）。
【０００５】
上記自動感震開錠扉は、フック孔にフック部材を係止させて施錠する引き戸であって、フック孔のフック部材との係止部分に切欠部を形成し、切欠部の内側には上下に移動して切欠部を開閉する可動板が配置されており、可動板には地震の振動を感知することにより可動板を移動させて切欠部を開放させる感震開錠装置がワイヤーを介して接続されている。
【０００６】
この自動感震開錠扉では、可動板が切欠部を閉鎖することによりフック部材が可動板に係止された施錠状態となる。一方、施錠状態において、地震の感知による感震開錠装置の作動時には、可動板が上昇して切欠部が開放されてフック部材の係止状態が解除され、フック部材が切欠部を通過可能となって扉が開放自在となる。しかしながら、一般的に、非常階段や非常口等の避難路に設置される非常用扉には、扉枠に対してヒンジ部を介して開閉される開き戸が用いられる。そのため、開き戸式の扉に従来の自動感震開錠扉の自動開錠の機構を設置する場合、開き戸式の扉へ対応させる新たな機構が必要となる問題があった。
【先行技術文献】
【特許文献】
【０００７】
【特許文献１】特開２０１１−００１７８８号公報
【考案の概要】
【考案が解決しようとする課題】
【０００８】
本考案は、前記の点に鑑みなされたものであって、引き戸や開き戸等の扉の種類に関係なく簡易に自動開錠が可能な汎用性に優れた自動感震開錠扉を提供するものである。
【課題を解決するための手段】
【０００９】
すなわち、請求項１の考案は、扉枠に開閉可能に設置された扉部を備え、前記扉部が通常時に施錠により閉鎖状態となり、地震時に自動開錠により開放状態となる扉であって、前記扉枠に設けられた枠側受部材と、前記扉部に設けられた扉側鍵受部材と前記枠側受部材に係止されるとともに鍵部材による前記扉側鍵受部材との施錠により前記枠側受部材と前記扉側鍵受部材とを連結する連結鍵受部材とを有する複合鍵受部材とを備え、前記枠側受部材には、通常時に前記連結鍵受部材と作動部材とを係合させるとともに、地震時に地震振動を感知する感震機の信号により前記作動部材を作動させて前記連結鍵受部材との係合を解除させる感震開錠装置が設けられていることを特徴とする自動感震開錠扉に係る。
【００１０】
請求項２の考案は、前記枠側受部材は、下部に開口部が形成された枠係止部を有する係止壁部を有し、前記扉側鍵受部材は、上面視Ｌ字状の鍵受本体と、前記鍵受本体の一端に形成されて前記扉部の周縁部に回動自在に軸支される軸受部と、前記鍵受本体の他端に形成されて前記鍵部材による施錠が可能な第１鍵受部とを有し、前記連結鍵受部材は、縦断面視Ｕ字状の連結本体と、前記連結本体の一側壁部に形成されて前記枠側受部材の前記枠係止部に係止される連結係止部と、前記連結係止部に形成された前記作動部材と係合する係合孔と、前記連結本体の他側壁部に面方向に対して突設されて前記第１鍵受部とともに前記鍵部材による施錠が可能な第２鍵受部とを有し、通常時には、前記連結鍵受部材の前記枠側受部材の前記枠係止部に係止された前記連結係止部と前記扉側鍵受部材の前記第１鍵受部とともに前記鍵部材により施錠された前記第２鍵受部との間に前記枠側受部材の前記係止壁部が介在され、地震時には、前記連結鍵受部材の係止状態が解除されて、前記扉側鍵受部材とともに前記連結鍵受部材が回動して前記枠側受部材の前記開口部から前記連結係止部が脱落される請求項１に記載の自動感震開錠扉に係る。
【００１１】
請求項３の考案は、前記連結鍵受部材の前記連結係止部が面取部を有する請求項２に記載の自動感震開錠扉に係る。
【００１２】
請求項４の考案は、前記感震開錠装置の前記作動部材が前記感震機の信号を受けて作動するラック部材及び歯車装置によって進退されるピン部材よりなり、前記感震機の信号作動時には前記ピン部材が後退して前記連結鍵受部材の前記係合孔より抜去される請求項２または３に記載の自動感震開錠扉に係る。
【考案の効果】
【００１３】
請求項１の考案に係る自動感震開錠扉によると、扉枠に開閉可能に設置された扉部を備え、前記扉部が通常時に施錠により閉鎖状態となり、地震時に自動開錠により開放状態となる扉であって、前記扉枠に設けられた枠側受部材と、前記扉部に設けられた扉側鍵受部材と前記枠側受部材に係止されるとともに鍵部材による前記扉側鍵受部材との施錠により前記枠側受部材と前記扉側鍵受部材とを連結する連結鍵受部材とを有する複合鍵受部材とを備え、前記枠側受部材には、通常時に前記連結鍵受部材と作動部材とを係合させるとともに、地震時に地震振動を感知する感震機の信号により前記作動部材を作動させて前記連結鍵受部材との係合を解除させる感震開錠装置が設けられているため、引き戸や開き戸等の扉の種類に関係なく同一の簡便な機構によって自動開錠が可能となり、極めて汎用性に優れた自動感震開錠扉を提供することができる。
【００１４】
請求項２の考案に係る自動感震開錠扉によると、請求項１の考案において、前記枠側受部材は、下部に開口部が形成された枠係止部を有する係止壁部を有し、前記扉側鍵受部材は、上面視Ｌ字状の鍵受本体と、前記鍵受本体の一端に形成されて前記扉部の周縁部に回動自在に軸支される軸受部と、前記鍵受本体の他端に形成されて前記鍵部材による施錠が可能な第１鍵受部とを有し、前記連結鍵受部材は、縦断面視Ｕ字状の連結本体と、前記連結本体の一側壁部に形成されて前記枠側受部材の前記枠係止部に係止される連結係止部と、前記連結係止部に形成された前記作動部材と係合する係合孔と、前記連結本体の他側壁部に面方向に対して突設されて前記第１鍵受部とともに前記鍵部材による施錠が可能な第２鍵受部とを有し、通常時には、前記連結鍵受部材の前記枠側受部材の前記枠係止部に係止された前記連結係止部と前記扉側鍵受部材の前記第１鍵受部とともに前記鍵部材により施錠された前記第２鍵受部との間に前記枠側受部材の前記係止壁部が介在され、地震時には、前記連結鍵受部材の係止状態が解除されて、前記扉側鍵受部材とともに前記連結鍵受部材が回動して前記枠側受部材の前記開口部から前記連結係止部が脱落されるため、枠側受部材と複合鍵受部材の各部材の簡素化を図りながら、自動開錠を適切に実行することができる。
【００１５】
請求項３の考案に係る自動感震開錠扉によると、請求項２の考案において、前記連結鍵受部材の前記連結係止部が面取部を有するため、自動開錠が行われない不具合が発生しにくくなる。
【００１６】
請求項４の考案に係る自動感震開錠扉によると、請求項２または３の考案において、前記感震開錠装置の前記作動部材が前記感震機の信号を受けて作動するラック部材及び歯車装置によって進退されるピン部材よりなり、前記感震機の信号作動時には前記ピン部材が後退して前記連結鍵受部材の前記係合孔より抜去されるため、簡素な機構の作動部材によって自動開錠を適切に実行することができる。
【図面の簡単な説明】
【００１７】
【図１】本考案の一実施形態に係る自動感震開錠扉の正面図である。
【図２】自動感震開錠扉の施錠状態を表す部分斜視図である。
【図３】自動感震開錠扉の開錠状態を表す部分斜視図である。
【図４】自動感震開錠扉の施錠状態を表す部分正面図である。
【図５】自動感震開錠扉の開錠状態を表す部分正面図である。
【図６】自動感震開錠扉の施錠状態を表す部分横断面図である。
【図７】自動感震開錠扉の開錠状態を表す部分横断面図である。
【図８】自動感震開錠扉の施錠状態を表す部分縦断面図である。
【図９】自動感震開錠扉の開錠状態を表す部分縦断面図である。
【図１０】複合鍵受部材の分解斜視図である。
【図１１】枠側受部材と複合鍵受部材との係止状態の概念図である。
【図１２】他の一実施形態に係る自動感震開錠扉の正面図である。
【考案を実施するための形態】
【００１８】
図１に示す本考案の一実施形態に係る自動感震開錠扉１０は、扉枠１１に開閉可能に設置された扉部１５を備え、扉部１５が通常時（平時）に施錠により閉鎖状態となり、地震時（地震振動発生時）に自動開錠により開放状態となる扉である。特に、図示の例は、扉枠１１にヒンジ部１２，１２を介して開閉可能な扉部１５Ａが取り付けられた開き戸式の自動感震開錠扉１０Ａである。図１において、符号１は金網等で構成される柵、１６は扉部１５の周縁部、１７は扉部１５の周縁部１６内に設けられた金網部、Ｌは扉部１５を施錠するための南京錠からなる鍵部材である。
【００１９】
自動感震開錠扉１０は、地震発生時に自動開錠されて通過可能とする非常用扉であって、主に非常通路や非常階段等の緊急避難経路に設置される。例えば、学校や商業施設等の建築物の避難所や非常口、湾岸地区の避難塔、高速道路の緊急避難口、駐車場の外周等、通常時に侵入が禁止されたり所定の使用目的に対応して区画されたりする場所に設置される柵等の非常用扉として好適に用いられる。
【００２０】
本考案の自動感震開錠扉１０は、図２〜図９に示すように、扉枠１１に設けられた枠側受部材２０と、扉部１５に設けられた扉側鍵受部材４０と枠側受部材２０と扉側鍵受部材４０とを連結する連結鍵受部材５０とを有する複合鍵受部材３０とを備え、枠側受部材２０には、通常時に連結鍵受部材５０と係合するとともに地震時に連結鍵受部材５０との係合を解除する感震開錠装置６０が設けられている。なお、図２〜図９では、柵１や扉部１５の金網部１７は省略している。
【００２１】
枠側受部材２０は、図２，３，８，９に示すように、扉枠１１の表面に設置された箱状の部材であって、下部に開口部２２が形成された枠係止部２１を有する係止壁部２５を有する。実施形態の枠側受部材２０において、係止壁部２５は、横断面視略コ字状の板状部材であって（図６，７参照）、扉枠１１との間に下部が開口部２２として開放した中空部からなる枠係止部２１を形成する（図８，９参照）。図６〜図９において、符号１３は枠側受部材２０が設置された扉枠１１に穿設された枠側孔部である。
【００２２】
複合鍵受部材３０は、図１０に示すように、扉側鍵受部材４０と連結鍵受部材５０とを有する。この複合鍵受部材３０は、図２〜図９に示すように、扉部１５に取り付けられて、通常時には枠側受部材２０と連結されて扉部１５を閉鎖状態とする（図２，４，６，８参照）とともに、地震時には枠側受部材２０との連結が解除されて扉部１５を開放状態とする（図３，５，７，９参照）。
【００２３】
扉側鍵受部材４０は、図２〜７，１０に示すように、扉部１５の周縁部１６に設けられた軸部材１８に取り付けられる部材であって、上面視Ｌ字状の鍵受本体４１と、鍵受本体の一端に形成されて軸部材１８に軸支される軸受部４２と、鍵受本体の他端に屈折して形成されて鍵部材Ｌによる施錠が可能な第１鍵受部４５とを有する。第１鍵受部４５には、鍵部材Ｌの掛金部Ｌ１が挿通される第１鍵受孔４６が形成されている。
【００２４】
連結鍵受部材５０は、図２，６，８に示すように、枠側受部材２０に係止されるとともに鍵部材Ｌによる扉側鍵受部材４０との施錠により枠側受部材２０と扉側鍵受部材４０とを連結する部材である。この連結鍵受部材５０は、図６，８，１０に示すように、一側壁部５１ａと一側壁部５１ａに対面する他側壁部５１ｂとが下端部の屈折部５１ｃによって一体に形成された縦断面視略Ｕ字状の連結本体５１と、連結本体５１の一側壁部５１ａに形成されて枠側受部材２０の枠係止部２１に係止される連結係止部５２と、連結係止部５２に形成された係合孔５３と、連結本体５１の他側壁部５１ｂに外側へ向けて突設されて第１鍵受部４５とともに鍵部材Ｌによる施錠が可能な第２鍵受部５５とを有する。また、連結係止部５２の上部には面取部５４，５４が形成され、第２鍵受部５５には鍵部材Ｌの掛金部Ｌ１が挿通される第２鍵受孔５６が形成されている。
【００２５】
連結鍵受部材５０では、図８に示すように、縦断面視略Ｕ字状の連結本体５１の一側壁部５１ａ（連結係止部５２）が枠側受部材２０（係止壁部２５）の内側となる枠係止部２１に係止されるとともに、他側壁部５１ｂに設けられた第２鍵受部５５が枠側受部材２０（係止壁部２５）の外側に配置された状態で扉枠１１側に装着される。そして、図６，８に示すように、枠側受部材２０の外側の第２鍵受部５５には、扉部１５に取り付けられた扉側鍵受部材４０の第１鍵受部４５が鍵部材Ｌによって施錠される。これにより、扉枠１１側に設けられた枠側受部材２０と、扉部１５側に設けられた扉側鍵受部材４０とが、連結鍵受部材５０を介して連結される。そのため、扉枠１１と扉部１５とが枠側受部材２０及び複合鍵受部材３０（扉側鍵受部材４０と連結鍵受部材５０）を介して連結されて、扉部１５が開放不能な閉鎖状態となる。
【００２６】
感震開錠装置６０は、図２，３，８，９に示すように、連結鍵受部材５０と係合する作動部材６１と、地震時に地震振動を感知する感震機７０とを有し、感震機７０の信号により作動部材６１を作動させて連結鍵受部材５０との係合を解除させる装置である。図２，３，８，９において、符号６７は作動部材を収容する作動側カバー体、７１は感震機７０に電力を供給する電池等の電力供給部、７５は感震機７０や電力供給部７１を収容する感震側カバー体である。
【００２７】
作動部材６１は、図８，９に示すように、感震機７０の信号を受けて作動するラック部材６２と、ラック部材６２の作動により回転駆動される歯車装置６３と、歯車装置６３の回転駆動によって進退されるピン部材６５よりなる。歯車装置６３は、ラック部材６２と歯合する第１歯車６３ａと、ピン部材６５のピン側ラック部６６と歯合する第２歯車６３ｂとが、単一の駆動軸６４に一体に設けられている。また、ピン部材６５は、扉枠１１の枠側孔部１３に進退可能に挿通されるとともに、連結鍵受部材５０の連結係止部５２に形成された係合孔５３に係合される。
【００２８】
感震機７０は、図８，９に示すように、地震発生時の所定量の振動を感知して作動部材６１のラック部材を作動させる信号を送信する機器であって、公知の地震感知器等が用いられる。実施形態の感震機では、震度５強相当以上の振動を感知した場合に作動信号が送信される。感震機７０が作動信号を作動部材６１へ送信することにより、連結鍵受部材５０の係合孔５３と係合したピン部材６５が後退して係合孔５３より抜去される。なお、感震機が感知する震度は特に限定されるものではなく、所望する震度に適宜設定することができる。
【００２９】
ここで、本考案の自動感震開錠扉１０の通常時の施錠による閉鎖状態（図２，４，６，８参照）と、地震時の自動開錠による開放状態（図３，５，７，９参照）について、開き戸式の自動感震開錠扉１０Ａを例に説明する。施錠による閉鎖状態は、図１，６，８，１１（ａ）に示すように、扉枠１１の枠側受部材２０と扉部１５（１５Ａ）の複合鍵受部材３０（扉側鍵受部材４０及び連結鍵受部材５０）とが連結されて、扉部１５を開放不能とした状態である。図６，８，１１（ａ）に示すように、まず、複合鍵受部材３０の連結鍵受部材５０が、扉枠１１に設けられた枠側受部材２０に係止される。連結鍵受部材５０の枠側受部材２０への係止状態は、連結鍵受部材５０の連結係止部５２が枠側受部材２０の開口部２２から枠係止部２１内へ挿入されるとともに、感震開錠装置６０の作動部材６１のピン部材６５が扉枠１１の枠側孔部１３から枠係止部２１内へ挿入されて、枠係止部２１内においてピン部材６５が連結係止部５２の係合孔５３に係合される。これにより、連結鍵受部材５０は、作動部材６１のピン部材６５によって支持されて、脱落することなく枠側受部材２０の枠係止部２１において係止状態となる。
【００３０】
このように枠側受部材２０に係止された連結鍵受部材５０では、連結本体５１の他側壁部５１ｂに形成された第２鍵受部５５が、連結本体５１の屈折部５１ｃを介して枠側受部材２０の係止壁部２５の外側へ配置される。この係止壁部２５の外側に配置された第２鍵受部５５に対し、扉部１５の周縁部１６に軸部材１８によって軸支された扉側鍵受部材４０が係止壁部２５と連結本体５１の他側壁部５１ｂとの間に配置される。そして、扉側鍵受部材４０の第１鍵受部４５の第１鍵受孔４６と、連結鍵受部材５０の第２鍵受部５５の第２鍵受孔５６とに鍵部材Ｌの掛金部Ｌ１が挿通されて施錠される。
【００３１】
これにより、扉枠１１側の枠側受部材２０と、扉部１５側の扉側鍵受部材４０とが、連結鍵受部材５０を介して連結される。この時、枠側受部材２０の枠係止部２１に係止された連結係止部５２と、扉側鍵受部材４０の第１鍵受部４５とともに鍵部材Ｌにより施錠された第２鍵受部５５との間には、枠側受部材２０の係止壁部２５が介在されている。そのため、扉部１５の開放方向の作動が規制されて、扉部１５が開放不能な閉鎖状態となる。
【００３２】
自動開錠による開放状態は、感震開錠装置６０の感震機７０が地震振動（例えば、震度５強相当以上）を感知した場合に、図７，９，１１（ｂ）に示すように、作動部材６１を作動させて連結鍵受部材５０との係合を解除させて、連結鍵受部材５０による枠側受部材２０と扉側鍵受部材４０との連結を解除させる。
【００３３】
作動部材６１の作動では、図９に示すように、感震機７０からの作動信号に基づいてラック部材６２が作動することにより、ラック部材６２に歯合された歯車装置６３の第１歯車６３ａが回転される。その際、歯車装置６３の第２歯車６３ｂが駆動軸６４を介して第１歯車６３ａと一体に形成されているため、第１歯車６３ａの回転に伴って第２歯車６３ｂも回転される。そして、第２歯車６３ｂの回転により、第２歯車６３ｂにピン側ラック部６６を介して歯合されたピン部材６５が後退する。
【００３４】
図７，９，１１（ｂ）に示すように、ピン部材６５が後退することにより、ピン部材６５が連結係止部５２の係合孔５３から抜去される。これにより、連結鍵受部材５０は、ピン部材６５による支持を失って係止状態が解除され、自重により枠係止部２１の下部の開口部２２から脱落される。
【００３５】
この時、図３，５に示すように、連結鍵受部材５０は、第２鍵受部５５が扉側鍵受部材４０の第１鍵受部４５と鍵部材Ｌにより施錠されて連結されているため、扉側鍵受部材４０とともに枠側受部材２０から落下する。そして、扉側鍵受部材４０が扉部１５の軸部材１８に軸支されているため、連結鍵受部材５０は扉側鍵受部材４０とともに軸部材１８を軸中心として円弧状（振り子状）に回動して枠側受部材２０から分離され、複合鍵受部材３０（扉側鍵受部材４０及び連結鍵受部材５０）が軸部材１８から垂下された状態となって自動開錠される。この連結鍵受部材５０の脱落に際して、連結係止部５２に面取部５４が形成されていることにより、連結係止部５２が脱落中に枠側受部材２０との接触や引っ掛かりが発生しにくくなり、自動開錠が行われない不具合が発生しにくくなる。従って、扉部１５の開放方向の作動が妨げられることがなくなり、扉部１５が開放自在な開放状態となる。
【００３６】
なお、この自動感震開錠扉において、通常時の開錠は、鍵部材を開錠して扉側鍵受部材の第１鍵受部と連結鍵受部材の第２鍵受部とから取り外すことによって行われる。鍵部材が取り外されることにより、連結鍵受部材が枠側受部材に係止されたまま扉枠側に残されて、扉側鍵受部材が分離可能となるため、扉部が開放自在となる。
【００３７】
次に、図１２に示す他の実施形態に係る自動感震開錠扉１０は、門柱に相当する扉枠１１に対してスライド移動して開閉可能な扉部１５Ｂが設置された引き戸式の自動感震開錠扉１０Ｂである。引き戸式の自動感震開錠扉１０Ｂは、学校や会社等の広い出入口に設置される門扉等に好適に使用される。図１２中の符号２は自動感震開錠扉１０Ｂが設置される出入り口等の外壁部、１７Ｂは扉部１５を構成する格子部、１９は扉部１５をスライド移動可能とするための車輪部である。なお、図１２において、前述の実施形態と同一符号は同一の構成を表すものとして説明を省略する。
【００３８】
この引き戸式の自動感震開錠扉１０Ｂにおいて、通常時の施錠による閉鎖状態は、開き戸式の自動感震開錠扉１０Ａと同様に機能する。すなわち、図２，４，６，８に示すように、感震開錠装置６０の作動部材６１と連結鍵受部材５０とが係合することによって、連結鍵受部材５０が枠側受部材２０の枠係止部２１において係止状態となり、扉枠１１の枠側受部材２０と扉部１５Ｂの扉側鍵受部材４０とが連結鍵受部材５０を介して連結される。そのため、枠側受部材２０と連結鍵受部材５０との係止状態や扉側鍵受部材４０と連結鍵受部材５０との施錠状態により、扉部１５Ｂの開放方向（スライド移動方向）の作動が規制されて、引き戸式の扉部１５Ｂは開放不能となる。
【００３９】
そして、自動感震開錠扉１０Ｂの自動開錠による開放状態も、開き戸式の自動感震開錠扉１０Ａと同様に機能する。すなわち、図３，５，７，９に示すように、感震開錠装置６０の感震機７０が地震振動（例えば、震度５強相当以上）を感知することにより、作動部材６１が作動されて連結鍵受部材５０との係合が解除され、連結鍵受部材５０が自重により枠係止部２１の下部の開口部２２から脱落される。そのため、連結鍵受部材５０は扉側鍵受部材４０とともに回動して枠側受部材２０から分離され、枠側受部材２０と複合鍵受部材３０（扉側鍵受部材４０及び連結鍵受部材５０）との連結が解除（自動開錠）される。従って、扉部１５Ｂの開放方向（スライド移動方向）の作動が妨げられることがなくなり、扉部１５Ｂが開放自在となる。
【００４０】
以上図示し説明したように、本考案の自動感震開錠扉では、扉枠に開閉可能に設置された扉部を備え、扉枠に設けられた枠側受部材と、扉部に設けられた扉側鍵受部材と該扉側鍵受部材と枠側受部材とを連結する連結鍵受部材とを有する複合鍵受部材とを備え、枠側受部材には、通常時に連結鍵受部材と作動部材とを係合させるとともに、地震時に地震振動を感知して作動部材を作動させて連結鍵受部材との係合を解除させる感震開錠装置が設けられている。そのため、引き戸や開き戸等の扉の種類に関係なく同一の簡便な機構によって自動開錠が可能となり、極めて汎用性に優れた自動感震開錠扉を提供することができる。
【００４１】
特に、枠側受部材は下部に開口部が形成された枠係止部を有する係止壁部を有し、扉側鍵受部材は上面視Ｌ字状の鍵受本体が扉部の周縁部に回動自在に軸支されるとともに鍵部材による施錠が可能な第１鍵受部を有し、連結鍵受部材は縦断面視Ｕ字状の連結本体の一側壁部に枠側受部材の枠係止部に係止されて作動部材と係合する係合孔が形成された連結係止部を有するとともに他側壁部に第１鍵受部とともに鍵部材による施錠が可能な第２鍵受部とを有する。そのため、枠側受部材と、扉側鍵受部材と連結鍵受部材を備えた複合鍵受部材とが、それぞれ簡素な構造で形成される。そして、通常時には枠側受部材の枠係止部に係止された連結係止部と第１鍵受部とともに施錠された第２鍵受部との間に枠側受部材の係止壁部が介在され、地震時には連結鍵受部材の係止状態が解除され扉側鍵受部材とともに連結鍵受部材が回動して枠側受部材の開口部から連結係止部が脱落されるため、枠側受部材と複合鍵受部材の各部材の簡素化を図りながら、自動開錠を適切に実行することができる。
【００４２】
また、感震開錠装置の作動部材が感震機の信号を受けて作動するラック部材及び歯車装置によって進退されるピン部材よりなり、感震機の信号作動時にはピン部材が後退して連結鍵受部材の係合孔より抜去されるため、簡素な機構の作動部材によって自動開錠を適切に実行することができる。
【産業上の利用可能性】
【００４３】
以上のとおり、本考案の自動感震開錠扉は、同一の機構でありながら引き戸や開き戸等の種々の扉に対応して地震時の自動開錠が可能な優れた汎用性を備える。そのため、例えば、学校や商業施設等の建築物の避難所や非常口、湾岸地区の避難塔、高速道路の緊急避難口、駐車場の外周等に設置される柵等の非常用扉や、学校や会社等の門扉等として最適である。
【符号の説明】
【００４４】
１      柵
２      外壁部
１０    自動感震開錠扉
１０Ａ  開き戸式の扉
１０Ｂ  引き戸式の扉
１１    扉枠
１２    ヒンジ部
１３    枠側孔部
１５，１５Ａ，１５Ｂ    扉部
１６    扉部の周縁部
１７    金網部
１７Ｂ  格子部
１８    軸部材
１９    車輪部
２０    枠側受部材
２１    枠係止部
２２    開口部
２５    係止壁部
３０    複合鍵受部材
４０    扉側鍵受部材
４１    鍵受本体
４２    軸受部
４５    第１鍵受部
４６    第１鍵受孔
５０    連結鍵受部材
５１    連結本体
５１ａ  連結本体の一側壁部
５１ｂ  連結本体の他側壁部
５１ｃ  連結本体の屈折部
５２    連結係止部
５３    係合孔
５４    面取部
５５    第２鍵受部
５６    第２鍵受孔
６０    感震開錠装置
６１    作動部材
６２    ラック部材
６３    歯車装置
６３ａ  第１歯車
６３ｂ  第２歯車
６４    駆動軸
６５    ピン部材
６６    ピン側ラック部
６７    作動側カバー体
７０    感震機
７１    電力供給部
７５    感震側カバー体
Ｌ      鍵部材
Ｌ１    掛金部
【図１】
0003215536.tif 000003
【図２】
0003215536.tif 000004
【図３】
0003215536.tif 000005
【図４】
0003215536.tif 000006
【図５】
0003215536.tif 000007
【図６】
0003215536.tif 000008
【図７】
0003215536.tif 000009
【図８】
0003215536.tif 000010
【図９】
0003215536.tif 000011
【図１０】
0003215536.tif 000012
【図１１】
0003215536.tif 000013
【図１２】
0003215536.tif 000014